(57)【特許請求の範囲】
【請求項１】
外壁パネルを建物の躯体から吊り下げた状態でスライドさせて取付位置へ搬送するためのトロリであって、
前記外壁パネルを吊り下げた状態で保持するための外壁パネル保持部材と、
前記建物の躯体上を走行し得る車輪を、軸方向に沿ってスライド可能に支持する車軸と、
前記外壁パネル保持部材と車軸とを、両者の支点間に段差を有する状態で支持する支持基材と、
を備えると共に、
前記支持基材に、該支持基材を傾倒させるための槓杆部が形成されていることを特徴とする外壁パネル用トロリ。
【請求項２】
前記支持基材を前記車輪から所定間隔をおいた位置に保持するためのスペーサを備えることを特徴とする請求項１に記載の外壁パネル用トロリ。
【請求項３】
前記支持基材を外部の構造物に係止させて所定の態勢に保持するための係止手段を備えることを特徴とする請求項１又は２に記載の外壁パネル用トロリ。
【請求項４】
空洞部が形成された外壁パネルを取付位置へ搬送するための外壁パネル搬送用複合デバイスであって、
前記外壁パネルの空洞部に出入可能な本体と、
前記本体が前記外壁パネルの空洞部に挿入された状態で、該外壁パネルに係止して該本体を該外壁パネルに固定し得る係止片と、
吊り上げ用ロープ類を掛止するための掛止部と、
を備える外壁パネル用吊具に、請求項１乃至３のいずれかに記載の外壁パネル用トロリが固定されてなることを特徴とする外壁パネル搬送用複合デバイス。
【発明の詳細な説明】
【０００１】
【発明の属する技術分野】
この発明は、建物の外壁施工において、外壁パネルを躯体に沿ってスライドさせ取付位置へ搬送するためのトロリ、ならびに外壁パネルの吊り上げから前記スライドまでを一貫して行うのに用いられるデバイスに関する。
【０００２】
【従来の技術】
従来、外壁パネルを用いた建物の外壁施工においては、施工現場にクレーン車を配置し、該クレーン車により外壁パネルを吊り上げ搬送して、所定の取付位置に取り付けるようにするのが一般的である。
【０００３】
【発明が解決しようとする課題】
しかしながら、現場の状況によっては、上記のようなクレーン車による施工に限界があるケースもある。例えば、図１２に示すように、敷地Ｌの奥行が大きくかつ狭小であって、該敷地Ｌ内にクレーン車Ｃを配置するスペースが確保できないような場合には、該クレーン車Ｃを前面道路Ｒに配置して外壁施工を行わざるを得ないが、この場合、標準のクレーン車（例えば４．９ｔ程度）では、敷地Ｌの内奥部Ｌ１まではブームが届かず、外壁パネルを途中までしか搬送することができない。このため、該内奥部Ｌ１の外壁施工を行うには、▲１▼さらに大型のクレーン車を使用する、▲２▼人力により施工を行う、▲３▼建物を分割して施工を行う、等の方法で対応する必要があった。
【０００４】
上記▲１▼〜▲３▼のような方法では、いずれもコストや労力が増大することが避けられない。さらに、上記▲１▼のように使用するクレーン車が大型のものとなると、前面道路Ｒの幅員等の状況によってはクレーン車の配置が不可能となる場合もある。
【０００５】
本発明は、上記の点に鑑み、標準のクレーン車によっては施工に限界がある場合であっても、コストや労力を増大させることなく外壁施工を行うことが可能な手段を提供することを目的とするものである。
【０００８】
【課題を解決するための手段】
上記目的を達成するためになされたこの発明の請求項１に記載の外壁パネル用トロリは、外壁パネルを建物の躯体から吊り下げた状態でスライドさせて取付位置へ搬送するためのトロリであって、前記外壁パネルを吊り下げた状態で保持するための外壁パネル保持部材と、前記建物の躯体上を走行し得る車輪を、軸方向に沿ってスライド可能に支持する車軸と、前記外壁パネル保持部材と車軸とを、両者の支点間に段差を有する状態で支持する支持基材と、を備えると共に、前記支持基材に、該支持基材を傾倒させるための槓杆部が形成されていることを特徴とするものである。
【０００９】
また、この発明の請求項２に記載の外壁パネル用トロリは、前記請求項１に記載の外壁パネル用トロリにおいて、前記支持基材を前記車輪から所定間隔をおいた位置に保持するためのスペーサを備えることを特徴とするものである。
【００１１】
また、この発明の請求項３に記載の外壁パネル用トロリは、前記請求項１又は２に記載の外壁パネル用トロリにおいて、前記支持基材を外部の構造物に係止させて所定の態勢に保持するための係止手段を備えることを特徴とするものである。
【００１２】
また、この発明の請求項４に記載の外壁パネル搬送用複合デバイスは、空洞部が形成された外壁パネルを取付位置へ搬送するための外壁パネル搬送用複合デバイスであって、前記外壁パネルの空洞部に出入可能な本体と、前記本体が前記外壁パネルの空洞部に挿入された状態で、該外壁パネルに係止して該本体を該外壁パネルに固定し得る係止片と、吊り上げ用ロープ類を掛止するための掛止部と、を備える外壁パネル用吊具に、前記請求項１乃至３のいずれかに記載の外壁パネル用トロリが固定されてなることを特徴とするものである。
【００１３】
なお、この発明において、「吊り上げ用ロープ類」とは、建築部材の揚重に使用可能なロープ類を意味し、ワイヤーロープ、ナイロンスリング等がいずれも包含されるものとする。
【００１４】
【発明の実施の形態】
以下、本発明の実施形態を例示し、図面に基づいて具体的に説明する。図１には、本発明の一実施形態に係る外壁パネル用トロリ（以下、単にトロリとも称す）が示されている。同図に示すトロリＴ１は、外壁パネル保持部材３１と車輪３２とを備え、該外壁パネル保持部材３１および車輪３２が、支持基材３３に支持された構成となっている。
【００１５】
外壁パネル保持部材３１は、外壁パネルを吊り下げた状態で保持するための部材であり、先端部にねじが形成された丸鋼を、支持基材３３に対し垂直に接合したものとなっている。該外壁パネル保持部材３１の先端部には、ナット３４および止めナット３５が螺入されるようになっている。該外壁パネル保持部材３１は、後記する外壁パネル用吊具Ｈ１に取り付けられ、該外壁パネル用吊具Ｈ１を介して、外壁パネルを吊り下げた状態で保持するようになっている。
【００１６】
車輪３２は、建物の躯体上を走行するための部材であり、車軸３６を介して前記支持基材３３に支持されている。該車軸３６は、図１中の矢印Ａ３１に示すように、車輪３２を軸方向に沿ってスライド可能に支持している。該車輪３２の外周部には、該車輪３２の周方向に沿って溝部３７が形成されている。
【００１７】
支持基材３３は、全体として一方向にやや長く延びる形状の鋼製プレートよりなり、中間部におけるやや一方端寄りの位置が最も幅広で、該位置から両端にかけて、それぞれ漸次幅狭となっており、これにより、上記幅広部分の両側に、それぞれ長尺の槓杆部３３Ｌおよび短尺のスペーサ支持部３３Ｓが形成されている。上記槓杆部３３Ｌは、支持基材３３を傾倒させるための部位である。なお、以下、上記槓杆部３３Ｌ側を上側、スペーサ支持部３３Ｓ側を下側とする。
【００１８】
前記車軸３６は、上記支持基材３３の一方面における幅広部分に垂直に接合されており、前記外壁パネル保持部材３１は、上記支持基材３３の他方面において、上記車軸３６より若干上方の位置に垂直に接合されている。これにより、上記外壁パネル保持部材３１と車軸３６とが、両者の支点間に段差ｄを有する状態で支持基材３３に支持されている。なお、以下、上記外壁パネル保持部材３１側を前側、車軸３６側を後側とする。
【００１９】
前記支持基材３３におけるスペーサ支持部３３Ｓの先端部には、スペーサ３８が配設されている。該スペーサ３８は、前記支持基材３３を前記車輪３２から所定間隔をおいた位置に保持するためのものであり、やや長尺のナットとなっている。該スペーサ３８は、スペーサ支持部３３Ｓの先端部から後側方向へ垂直に突設されたねじ軸に、ロックナット３９を介して螺入されており、これにより、支持基材３３との間の距離を調節し得るようになっている。
【００２０】
前記支持基材３３における槓杆部３３Ｌの先端部には、係止手段４０が配設されている。該係止手段４０は、前記支持基材３３を外部の構造物に係止させて所定の態勢に保持するためのものであり、グリップ４１とピン４２とレバー４３とを備えるものとなっている。上記グリップ４１は丸パイプよりなり、上記槓杆部３３Ｌの先端部から後側方向へ垂直に突設されている。上記ピン４２は、図２に示すように、前記グリップ４１よりやや長い丸鋼よりなり、上記槓杆部３３Ｌの先端部を貫通するようにして、上記グリップ４１内に挿通されている。該グリップ４１内では、上記ピン４２にコイルばね４４が外嵌され、上記ピン４２を前側方向に付勢している。上記レバー４３は、前記グリップ４１の先端から若干突出した上記ピン４２の先端部に、前後に回動自在に連結され、該グリップ４１との間にある程度の鋭角を形成するようにして、前側方向へ傾斜しながら延びている。上記ピン４２の前側端は、上記槓杆部３３Ｌの先端部からやや前側方向へ突出した状態となっており、上記レバー４３をグリップ４１に引き寄せると、上記槓杆部３３Ｌより後側へ後退してグリップ４１内に格納されるようになっている。
【００２１】
前記車軸３６の先端には、図１に示すように、ガイド片４５が配設されている。該ガイド片４５は、前記車輪３２を所定位置に案内するためのもので、概略長方形状の鋼製プレートよりなり、一方端部で車軸３６に垂直に接合されて、下側方向へ延出した状態に保持されている。
【００２２】
上記トロリＴ１は、図２に示すように、外壁パネル用吊具Ｈ１に取り付けられた状態で使用され、該外壁パネル用吊具Ｈ１を介して、外壁パネルＰ１を吊り下げるようになっている。上記外壁パネル用吊具（以下、単に吊具とも称す）Ｈ１は、図３に示すように、本体１と係止片２と掛止部３とを備えるものとなっている。
【００２３】
本体１は、やや細長の角パイプよりなり、外壁パネルＰ１の空洞部４に出入可能なものとなっている。該外壁パネルＰ１は、押出し成形セメント板（商品名アスロック）よりなり、縦方向、即ち取付状態における上下方向に沿って延びて該外壁パネルＰ１を貫通する複数の空洞部４が、該外壁パネルＰ１の幅方向に並列するようにして形成されている。該空洞部４は、概略矩形状の横断面形状を有しており、前記本体１の横断面は、該空洞部４の横断面に内包され得る寸法の正方形状となっている。
【００２４】
本体１の一側面における一方端部には、係止片２が配設されている。該係止片２は、上記本体１が前記外壁パネルＰ１の空洞部４に挿入された状態で、該外壁パネルＰ１に係止して該本体１を該外壁パネルＰ１に固定するためのものである。該係止片２は、短尺の丸鋼よりなるピンとなっており、図４に示すように、該本体１の内部で支持片５に支持された状態で、該本体１の外方へ延出し得るようになっている。なお、以下、本体１において上記係止片２が配設された側面を後側面、該係止片２が配設された端部を下端部とする。
【００２５】
上記支持片５は、帯状に延びる鋼製プレートとなっており、本体１における後側面の内側に重なるようにして、該本体１の内部を下端部から中間部よりやや上まで延びている。本体１の中間部における後側寄りの位置には、ボルト６が該本体１を左右方向に貫通するようにして固定されている。前記支持片５は、下端から上端へいくにつれ、該ボルト６の若干下方の位置で、本体１の前側方向へやや傾斜するように折曲され、ほぼ該ボルト６の位置で、再度上方に向けて延びるように折曲されており、これにより、該ボルト６の周面の一部に沿って、側面視概略Ｓ字状に曲折しながら、該ボルト６の位置を通過して上方に延びている。さらに、該支持片５の上端部は、本体１の前側方向へやや傾斜するように折曲されている。
【００２６】
前記係止片２は、該支持片５の下端部近傍に垂直に挿通され、該支持片５の前側へ若干突出するとともに、後側へ大部分が突出した状態で、該支持片５に溶接接合されている。
【００２７】
上記本体１の前側面における中間部には、図４に示すように、操作片７が配設されている。該操作片７は、先端に頭部を有する短尺の丸棒よりなり、該本体１の内部でスライド片８に支持された状態で、該本体１の外方へ突出している。該スライド片８は、前記支持片５と同様の帯状に延びる鋼製プレートとなっており、本体１における前側面の内側に重なるようにして、該本体１の内部を下端部から中間部まで延びている。上記操作片７は、該スライド片８の上端部に垂直に突設されている。
【００２８】
上記本体１の前側面における中間部には、図５に示すように、上下に延びるスリット９が穿設されており、前記操作片７は、本体１の内部から該スリット９を通じて前側方向へ突出している。
【００２９】
上記操作片７の軸部には、短尺の円筒状に成形されたロック手段１０が外嵌されており、該操作片７の頭部と該ロック手段１０との間にはコイルばね１１が介在して該ロック手段１０を本体１側方向へ付勢している。前記スリット９の上端および下端はそれぞれ円状に拡大されており、上下の各拡大部９Ｔ、９Ｂの径は、上記ロック手段１０の外径より僅かに大きい程度となっている。一方、上記両拡大部９Ｔ、９Ｂの間の溝状部分９Ｍの幅は、操作片７の軸部の径より僅かに大きく且つロック手段１０の外径より小さくなっている。これにより、上記操作片７の軸部はスリット９の上端と下端との間を自在に移動することができ、上記ロック手段１０は上下の各拡大部９Ｔ、９Ｂには嵌入し得るが溝状部分９Ｍは通過し得ないようになっている。
【００３０】
上記ロック手段１０の前側端にはフランジ１０ａが設けられており、該フランジ１０ａを把持して上記操作片７の頭部へ寄せるようにすると、該ロック手段１０の後側端が本体１から僅かに離れて上記スリット９の溝状部分９Ｍに干渉しない状態となり、操作片７が該スリット９を自在に移動し得るようになる。該操作片７をスリット９の上端または下端に位置させて上記フランジ１０ａを放すと、該ロック手段１０は前記したようにコイルばね１１により付勢されているため、上または下の拡大部９Ｔ、９Ｂに嵌入し、この位置に拘束される。このようにして、上記操作片７は、スリット９に沿って自在に移動し得るとともに、ロック手段１０により該スリット９の上端または下端の位置でロックされ得るようになっている。
【００３１】
前記スライド片８の下端部には、図４に示すように、後側方向へ突出する突起部１２が設けられている。該突起部１２は、鋼製プレートよりなる小片を、スライド片８の後側面に、横断面Ｔ字形状をなすように垂直に接合することにより突設されている。該突起部１２の下端縁は、固定端側から自由端側へかけて上方へ傾斜する斜辺をなしている。また、該突起部１２に対応して、前記支持片５の前側面における係止片２より若干上方の位置には、上下に延びる凹溝部５ａが設けられており、該凹溝部５ａに前記突起部１２の先端部が出入し得るようになっている。
【００３２】
前記操作片７をスリット９の下端まで下げると、図４に示すように、上記スライド片８が下方へスライドし、このとき突起部１２が係止片２を後側方向へ押し出す。該突起部１２の下端縁は前記したような斜辺をなしているので、該係止片２をスムーズに押し出すことができる。本体１の後側面における下端部には、図３に示すように、ピン挿通用開口１３が穿設されており、上記係止片２は該ピン挿通用開口１３を通じて後側方向へ延出し得るようになっている。このとき、該係止片２は厳密には直線的に移動するのではなく、前記本体１の中間部のボルト６を中心として回動するため、上記ピン挿通用開口１３は、この係止片２の動作に干渉しないように、上下に若干長いカプセル形状に形成されている。
【００３３】
上記操作片７をスリット９の上端まで上げると、上記スライド片８が上方へスライドし、これにともなって、図４中の矢印Ａ１に示すように、突起部１２も上方へ移動して、係止片２から外れる。一方、このとき上記スライド片８の上端は、図４中の矢印Ａ２に示すように、前記支持片５の上端の折曲部分を後側方向へ押し出す。これを受けて、該支持片５は、前記本体１の中間部のボルト６を支点としてシーソー式に揺動し、その下端が図４中の矢印Ａ３に示すように前側方向へ移動する。これにより、上記係止片２が本体１内に格納される。またこのとき、上記支持片５の凹溝部５ａに前記スライド片８の突起部１２の先端部が嵌挿される。
【００３４】
本体１の上端には、吊り上げ用ロープ類を掛止するための掛止部３が配設されている。該掛止部３は、図４に示すように、本体１の小口を閉塞し得る小片状の鋼製プレート１４にアイボルトを突設し、該鋼製プレート１４を本体１の上端に接合することによって設けられている。上記アイボルトは、上記鋼製プレート１４の一方面側から挿通し、該プレート１４の他方面側からナット１５を嵌着し溶接接合することによって、該プレート１４に旋回自在に取り付けられている。
【００３５】
本体１のスリット９より若干上方の位置には、図３に示すように、前記トロリＴ１を取り付けるためのトロリ取付用孔２１が配設されている。該トロリ取付用孔２１は、本体１の後側面および前側面にそれぞれ穿設されており、前記トロリＴ１の外壁パネル保持部材３１を、該本体１を前後に貫通させるようにして取り付け得るようになっている。
【００３６】
また、本体１の後側面における上端よりやや下方の位置には、前記トロリＴ１の係止手段４０におけるピン４２を係止させるための係止孔２２が穿設されている。
【００３７】
外壁パネルＰ１の裏側における上端よりやや下方の位置には、図３および図４に示すように、左右２箇所にピン挿通孔１６、１６が穿設されている。各ピン挿通孔１６、１６は、図３に示すように、外壁パネルＰ１の左端に近い１つの空洞部４Ｌおよび右端に近い１つの空洞部４Ｒのそれぞれに連通するように穿設されており、各ピン挿通孔１６、１６の径は、前記吊具Ｈ１の係止片２の径より僅かに大きい程度となっている。該ピン挿通孔１６、１６から外壁パネルＰ１の上端までの距離は、前記吊具Ｈ１の係止片２からスリット９の下端までの距離よりも小となっている。
【００３８】
以下、上記吊具Ｈ１の使用方法について述べる。
まず、操作片７をスリット９の上端まで上げて、係止片２を本体１内に格納し、この状態で、図３に示すように、吊具Ｈ１を外壁パネルＰ１の空洞部４Ｌ、４Ｒに上方から挿入し、係止片２の位置をピン挿通孔１６の位置に合わせる。
【００３９】
ついで、図４に示すように、操作片７をスリット９の下端まで下げ、係止片２を本体１から延出させて外壁パネルＰ１のピン挿通孔１６に係止させる。
【００４０】
ついで、掛止部３にシャックル等によりワイヤーロープを掛止し、該ワイヤーロープをクレーン等で吊り上げることにより外壁パネルＰ１を吊り上げて、所定位置に搬送する。
【００４１】
使用後は、再度操作片７をスリット９の上端まで上げて係止片２を本体１内に格納し、吊具Ｈ１を外壁パネルＰ１から取り外す。
【００４２】
上記吊具Ｈ１によれば、外壁パネルＰ１の空洞部４に出入可能な本体１と、該本体１が上記外壁パネルＰ１の空洞部４に挿入された状態で、該外壁パネルＰ１に係止して該本体１を該外壁パネルＰ１に固定し得る係止片２と、吊り上げ用ロープ類を掛止するための掛止部３とを備えるものとなっているので、上記本体１を外壁パネルＰ１の空洞部４に挿入し、係止片２を外壁パネルＰ１に係止させることにより、該吊具Ｈ１を外壁パネルＰ１に確実に固定することができる。ここで、例えば従来のように該外壁パネルＰ１をナイロンスリングで縛るようにして吊り上げ搬送するとすると、該ナイロンスリングの緊縛状態によっては、該外壁パネルＰ１が脱落するおそれがある。これに対し、前記吊具Ｈ１を用いて外壁パネルＰ１を吊り上げるようにすると、該外壁パネルＰ１を常に確実に保持した状態で吊り上げることができるので、該外壁パネルＰ１が脱落するといった事態を生じ難くすることができる。
【００４３】
また、上記吊具Ｈ１は外壁パネルＰ１の空洞部４に挿入するようにして固定するので、該吊具Ｈ１を取り付けた状態のままで該外壁パネルＰ１の取付（本固定）を完了しても、この後で該吊具Ｈ１を容易に取り外すことができる。ここで、前記従来のナイロンスリングを用いた方法では、ナイロンスリングで縛った状態のままで外壁パネルＰ１を本固定すると該ナイロンスリングが取り外せないので、該外壁パネルＰ１を下端部で仮固定しやや前傾させて該ナイロンスリングを取り外し、この後該外壁パネルＰ１を本固定するようにする必要があり、このため、外壁パネルＰ１の固定が不完全な状態でナイロンスリングを取り外すことになる。これに対し、前記吊具Ｈ１によれば、外壁パネルＰ１の固定が完全な状態で該吊具Ｈ１を取り外せるので、該外壁パネルＰ１の落下の危険性を大幅に少なくすることができる。
【００４４】
さらにまた、前記従来の方法ではナイロンスリングの着脱が面倒であるのに対し、前記吊具Ｈ１によれば、係止片２を外壁パネルＰ１に係止させることで該外壁パネルＰ１に容易に固定しあるいは取り外すことができる。また、前記したように該吊具Ｈ１を取り付けた状態のままで外壁パネルＰ１を取付位置に直接本固定することができるので、前記従来の場合のように外壁パネルＰ１を取付位置に取り付ける前にいったん仮固定して不安定な態勢に支持するといったことが不要であり、このため外壁パネルＰ１の取付を大幅に簡易化することができ、作業性を向上させることができる。
【００４５】
また、外壁パネルＰ１を吊り上げる際には、上記吊具Ｈ１の本体１を空洞部４に挿入し得る態勢にさえあれば、該外壁パネルＰ１がいかなる配置状態にあっても該吊具Ｈ１の取付が可能であるので、この点においても作業性が良好となっている。例えば図６に示すように、複数の外壁パネルＰ１が隙間なく積み上げるようにして仮置されているような場合、従来のように該外壁パネルＰ１をナイロンスリングで縛って吊り上げるとすると、該外壁パネルＰ１を多少持ち上げた状態としないとナイロンスリングで縛ることができないが、上記吊具Ｈ１によれば、該外壁パネルＰ１を、持ち上げることなくそのままの状態で、該吊具Ｈ１を取り付けて吊り上げることができる。
【００４６】
さらに加えて、上記吊具Ｈ１によれば、上記係止片２が、本体１に延出／格納可能に配設されているので、該係止片２を格納した状態で本体１を外壁パネルＰ１に容易に出入させることができるとともに、該係止片２を延出させて外壁パネルＰ１に容易に係止させることができる。これにより、該吊具Ｈ１を外壁パネルＰ１にさらに容易に着脱することができる。
【００４７】
さらに加えて、上記吊具Ｈ１によれば、上記本体１が上記外壁パネルＰ１の空洞部４に挿入された状態で、上記係止片２の動作を外部から操作するための操作片７が配設されているので、外壁パネルＰ１の内部での係止片２の動作を外部からでも操作でき、これにより、該吊具Ｈ１を外壁パネルＰ１にさらに容易に着脱することができる。
【００４８】
さらに加えて、上記吊具Ｈ１によれば、上記操作片７を所定位置でロックするためのロック手段１０が配設されているので、何らかの原因により該操作片７が誤って操作されることが防止でき、したがって外壁パネルＰ１の脱落等をより確実に防止することができる。
【００４９】
上記吊具Ｈ１には、様々な変更を加えることが可能である。例えば図７に示す吊具Ｈ２のように、係止片２を本体１に着脱可能に設けるようにしてもよい。同図に示す吊具Ｈ２は、前記図３に示す吊具Ｈ１と同様の本体１の下端に、内側からナット（図示せず）を溶接するようにしてねじ穴１７が設けられ、該ねじ穴１７に、係止片２としてボルトを螺入することにより着脱する構成となっている。使用時には、該本体１を外壁パネルＰ１の空洞部４に挿入し、該外壁パネルＰ１の外部からピン挿通孔１６を通して係止片２をねじ穴１７に螺入することにより、吊具Ｈ２を外壁パネルＰ１に固定するようにする。
【００５０】
上記図７に示す吊具Ｈ２によれば、前記図３に示す吊具Ｈ１に比して、構成を簡略化することができる。ただし、該吊具Ｈ２の着脱の容易さや安全性の点でやや劣るきらいがある。
【００５１】
上記図３乃至図７に示す吊具Ｈ１、Ｈ２の本体１には、図２に示すように、前記トロリＴ１が取り付けられる。該トロリＴ１の外壁パネル保持部材３１は、前記吊具Ｈ１の本体１におけるトロリ取付用孔２１に後側から挿通され、該本体１の前側から、ナット３４および止めナット３５が螺入されて固定される。このとき、該外壁パネル保持部材３１はピン軸として機能し得るように該本体１に接合されており、これにより、前記トロリＴ１の支持基材３３は該外壁パネル保持部材３１を中心軸として自在に回動し得る状態で本体１に支持されている。
【００５２】
上記トロリＴ１は、図２に示すように、建物の躯体を構成する梁７１上を走行するようになっている。該梁７１には、外壁取付用アングル７２が接合されており、上記トロリＴ１は、該外壁取付用アングル７２を介して、梁７１上を走行する。該外壁取付用アングル７２は、図８に示すように、若干幅広の一方片（以下、幅広片と称す）７２ａと、若干幅狭の他方片（以下、幅狭片と称す）７２ｂとにより、断面略Ｌ字形状を有する山形鋼となっており、上記幅広片７２ａの端縁部は、幅狭片７２ｂと同方向に折曲されて、該幅狭片７２ｂよりさらに幅狭のリップ状の折曲片７２ｃが形成されている。上記トロリＴ１の車輪３２は、該外壁取付用アングル７２の折曲片７２ｃに溝部３７を嵌合させた状態で、該外壁取付用アングル７２をレールとして走行するようになっている。
【００５３】
上記外壁取付用アングル７２の幅狭片７２ｂの外側面には、長方形状の鋼製プレートよりなるファスナプレート７３が、所定間隔をおいて多数接合されている。各ファスナプレート７３は、その両端を、上記幅狭片７２ｂの両側縁からそれぞれ外方へ延出させるようにして、該幅狭片７２ｂに重ね合わせ溶接接合されている。上記外壁取付用アングル７２は、幅広片７２ａ、幅狭片７２ｂおよび折曲片７２ｃにより形成される溝状部分を、屋内側に向け、かつ折曲片７２ｃを上にした状態で、前記梁７１の上フランジ７１ａの外側端縁より若干外方に配置され、ファスナプレート７３の端部を該フランジ７１ａにボルトで締結することにより固定されている。
【００５４】
上記外壁取付用アングル７２には、前記梁７１の直上階部分の外壁となる外壁パネルＰ２の下端部が取り付けられる。該外壁パネルＰ２の裏面における下端近傍には、取付金具７４が左右に配設されている（図８では右側の取付金具７４のみを示す）。該取付金具７４は、上下に長い長方形状の鋼製プレートの下端部に、側面視くの字状に外方へ突起する折曲部７４ａが形成され、両側縁に沿って補強リブ７４ｂ、７４ｂが形成されたものとなっており、上端近傍にはルーズホール７４ｃが穿設されている。上記取付金具７４は、折曲部７４ａと外壁パネルＰ２の裏面との間に、前記外壁取付用アングル７２の折曲片７２ｃを挟持した状態で、ルーズホール７４ｃでボルトにより締結される。また、前記ファスナプレート７３の自由端は、前記したように外壁取付用アングル７２よりも外方へ延出しており、該延出部分に、外壁パネルＰ２の下端が支持される。このようにして、外壁パネルＰ２の下端部が梁７１に取り付けられる。
【００５５】
上記梁７１の下フランジ７１ｂには、図２に示すように、前記外壁取付用アングル７２と上下対称となるように、同様の外壁取付用アングル７２Ｌが、ほぼ同様の取付構造で取り付けられている。ただし、この下側の外壁取付用アングル７２Ｌと梁７１の下フランジ７１ｂとの間に介在するファスナプレート７３Ｌの自由端は、該外壁取付用アングル７２Ｌより外方へは延出しないようになっている。
【００５６】
上記下側の外壁取付用アングル７２Ｌには、前記梁７１の直下階部分の外壁となる外壁パネルＰ１の上端部が取り付けられる。該外壁パネルＰ１の裏面における上端よりやや下方の位置には、前記と同様の取付金具が、前記とは上下逆の状態で左右に配設されており（図示せず）、該取付金具により、上記外壁パネルＰ１の上端部が外壁取付用アングル７２Ｌに取り付けられる。
【００５７】
なお、建物の屋上階を構成する梁には、所定間隔をおいて立設された複数の束を介して、やや上方に外壁取付用アングルが架設されており、該外壁取付用アングルに、上記と同様の取付構造により外壁パネルが取り付けられて、パラペットが構成されるようになっている（図示せず）。上記トロリＴ１は、このパラペット部においても、外壁パネルを保持した状態で外壁取付用アングル上を走行することができる。
【００５８】
以下、上記トロリＴ１の使用方法について述べる。
１．まず、前記したようにトロリＴ１を取り付けた状態で、吊具Ｈ１を外壁パネルＰ１に固定する。この外壁パネルＰ１に対する吊具Ｈ１の取付方法は前記した通りである。
【００５９】
２．ついで、上記外壁パネルＰ１をクレーン等で吊り上げて、前記梁７１まで搬送し、図２に示すように、トロリＴ１の車輪３２を、外壁取付用アングル７２に嵌合して、該外壁パネルＰ１を該梁７１から吊り下げた状態に保持する。
【００６０】
このとき、上記トロリＴ１の係止手段４０におけるピン４２を吊具Ｈ１の係止孔２２に係止させて、図９（ａ）に示すように、支持基材３３を立てた態勢に保持するようにする。該支持基材３３を立てた態勢に保持すると、外壁パネルＰ１は、取付位置より若干上方にずれた状態に保持されるようになっている。このときの該外壁パネルＰ１の高さ位置のズレは、上記トロリＴ１の外壁パネル保持部材３１と車軸３６との支点間の段差ｄに等しくなるように設定されている。
【００６１】
また、該支持基材３３が立った態勢にあるときには、図２に示すように、スペーサ３８が外壁取付用アングル７２に当接して、該支持基材３３を前記車輪３２から所定間隔をおいた位置に保持するようになっている。この状態では、外壁パネルＰ１は、取付位置から若干外方にずれた状態に保持されるようになっている。
【００６２】
なお、上記トロリＴ１の車輪３２を外壁取付用アングル７２に嵌合する際には、ガイド片４５に案内させながら嵌合するようにするとよい。
【００６３】
３．ついで、上記外壁取付用アングル７２上でトロリＴ１を走行させ、外壁パネルＰ１をスライドさせて取付位置へ搬送する。
【００６４】
４．ついで、外壁パネルＰ１を取付位置に合わせて、梁７１に取り付ける。
【００６５】
このとき、上記トロリＴ１の係止手段４０におけるピン４２を吊具Ｈ１の係止孔２２から外し、槓杆部３３Ｌを把持して図９（ｂ）に示すように支持基材３３を左または右に傾倒させるようにする。該支持基材３３を９０°傾倒させると、前記外壁パネル保持部材３１と車軸３６との支点間の段差ｄが解消され、外壁パネルＰ１が取付位置と同一の高さ位置まで降下する。
【００６６】
また、該支持基材３３を上記のように傾倒させると、図９（ｂ）に示すようにスペーサ３８が外壁取付用アングル７２より上方の位置にきて該外壁取付用アングル７２に干渉しない状態となるので、支持基材３３を前記車輪３２に引き寄せるようにし、これにより外壁パネルＰ１を梁７１に引き寄せて取付位置に合わせるようにする。
【００６７】
上記取付位置に合わせた外壁パネルＰ１は、前記の取付構造により上端部および下端部をそれぞれ取り付けるようにする。
【００６８】
５．この後、吊具Ｈ１およびトロリＴ１を取り外す。
【００６９】
このように、上記トロリＴ１を用いることにより、外壁パネルＰ１を建物の躯体を構成する梁７１から吊り下げた状態でスライドさせ取付位置へ搬送するようにして外壁施工を行うことができる。これにより、例えば図１２に示すように、標準のクレーン車Ｃでは届かない敷地Ｌの内奥部Ｌ１の外壁施工を行う場合、まず該クレーン車Ｃの届く範囲内の前面側部Ｌ２で外壁パネルＰ１を吊り上げて梁７１まで搬送し、この後は該外壁パネルＰ１を梁７１に沿って内奥部Ｌ１までスライドさせて搬送することで、該内奥部Ｌ１の外壁施工を行うことができる。したがって、標準以上の大型のクレーン車や人力等に依ることなく、上記のような内奥部Ｌ１の外壁施工を行うことが可能となる。
【００７０】
さらに、取付後の外壁パネルＰ１をスライドさせて移動させることもできるので、取付位置の調整も容易に行うことができる。
【００７１】
なお、例えば上記図１２に示す敷地Ｌの内奥部Ｌ１における隅部Ｃ１においては、例えば図１０に示すようにして外壁パネルＰ１を中継するようにすればよい。同図に示す例では、該隅部Ｃ１の屋上部に支柱６１が立設され、該支柱６１の上部に、ブラケットを介してチェーンブロック６２が支持されている。前記の方法により該隅部Ｃ１までスライドさせて搬送してきた外壁パネルＰ１は、該隅部Ｃ１で上記チェーンブロック６２により吊下し、建物からやや離した状態で、図１０中に矢印Ａ６１で示すように、該隅部Ｃ１を挟んで建物の他側面へ渡すようにする。この後は、該外壁パネルＰ１を再度梁から吊り下げた状態とし、前記と同様にして該梁に沿ってスライドさせて搬送するようにする。
【００７２】
さらに、上記トロリＴ１によれば、上記外壁パネル保持部材３１と車輪３２とが、両者間の水平距離を変更可能に設けられているので、該外壁パネル保持部材３１と車輪３２との水平距離を拡げることで外壁パネルＰ１を取付位置から外方へ離した状態でスライドさせることができるとともに、該水平距離を狭めることで該外壁パネルＰ１を引き寄せて取付位置に合わせることができる。したがって、該外壁パネルＰ１を、建物の躯体や金具類に抵触することなくスムーズにスライドさせて取付位置へ搬送し取り付けることができる。
【００７３】
さらに加えて、前記外壁パネル保持部材３１と車輪３２とが、両者間の鉛直距離を変更可能に設けられている（即ち、該外壁パネル保持部材３１が車輪３２に対し上下動可能に設けられている）ので、該外壁パネル保持部材３１を上昇させた状態に保持することで、外壁パネルＰ１を取付位置から上方へ離した状態でスライドさせることができるとともに、該外壁パネル保持部材３１を降下させることで該外壁パネルＰ１を降下させて取付位置に合わせることができる。したがって、該外壁パネルＰ１をさらにスムーズにスライドさせて取付位置へ搬送し取り付けることができる。
【００７４】
さらに、前記車輪３２が、軸方向に沿ってスライド可能に車軸３６に支持され、前記外壁パネル保持部材３１と車軸３６とが、両者の支点間に段差ｄを有する状態で支持基材３３に支持されているので、上記車輪３２を軸方向にスライドさせることで、上記外壁パネル保持部材３１と車輪３２との水平距離を容易に変更し得るとともに、上記段差ｄにより、上記外壁パネル保持部材３１を車輪３２に対し上下にずらした状態に保持することができる。
【００７５】
さらに加えて、前記支持基材３３を前記車輪３２から所定間隔をおいた位置に保持するためのスペーサ３８を備えるので、外壁パネルＰ１を取付位置から外方へ離した状態に保持することができる。
【００７６】
さらに加えて、前記支持基材３３に、該支持基材３３を傾倒させるための槓杆部３３Ｌが形成されているので、該槓杆部３３Ｌで支持基材３３を傾倒させることで、前記外壁パネル保持部材３１と車軸３６との支点間の段差ｄを解消することができる。
【００７７】
さらに加えて、前記支持基材３３を外部の構造物である吊具Ｈ１に係止させて立てた態勢に保持するための係止手段４０を備えるので、該支持基材３３をを立てた態勢に保持することで、前記外壁パネル保持部材３１と車軸３６とを、両者の支点間に段差ｄを有する状態に保持することができる。
【００７８】
さらにまた、上記トロリＴ１は、外壁取付用の部材として梁７１に配設されている外壁取付用アングル７２をレールとして走行するようになっているので、該トロリＴ１を走行させるためのレールを別に配設する必要がない。
【００７９】
さらに、上記トロリＴ１は、外壁パネルＰ１の空洞部４に出入可能な本体１と、該本体１が上記外壁パネルＰ１の空洞部４に挿入された状態で、該外壁パネルＰ１に係止して該本体１を該外壁パネルＰ１に固定し得る係止片２と、吊り上げ用ロープ類を掛止するための掛止部３とを備える吊具Ｈ１に固定した状態で使用されるが、このように該トロリＴ１と吊具Ｈ１とを一体化させて、外壁パネル搬送用の複合デバイスとして使用することにより、前記外壁パネルＰ１の吊り上げ行程からスライド行程までを一貫して効率よく行うことができる。
【００８０】
上記トロリＴ１には、様々な変更を加えることが可能である。例えば、図１１に示すトロリＴ２のように、外壁パネル保持部材４６が、吊具を介さずに外壁パネルＰ３を直接保持する構成としてもよい。同図に示すトロリＴ２は、ねじ軸よりなる外壁パネル保持部材４６が、支持基材４７の外方にブラケット４８を介して垂下された構成となっている。ここに示す例では、外壁パネルＰ３の裏面に、側面視Ｌ字形状の取付金具７５が配設されており、前記トロリＴ２は、外壁パネル保持部材４６の下端を該取付金具７５に挿通しナット４９および止めナット５０で係止することにより、該外壁パネルＰ３を吊り下げた状態に保持するようになっている。また、梁７６上には、外壁パネル搬送用のレール７７が仮設されており、上記トロリＴ２は該レール７７上を走行するようになっている。
【００８１】
上記図１１に示すトロリＴ２では、空洞部を有していない外壁パネルＰ３を吊り下げた状態に保持することが可能である。ただし、該外壁パネルＰ３の取付の際には、例えば該外壁パネルＰ３の下端部を仮固定した状態で外壁パネル保持部材４６を取付金具７５から取り外し、この後該取付金具７５を梁７６に取り付けるようにするといったように、取付作業がやや煩瑣である。また、ここに示す例では、外壁パネル取付用の部材とは別に、外壁パネル搬送のための専用のレール７７を架設する必要がある。
【００８６】
【発明の効果】
以上のように、この発明の請求項１に記載の外壁パネル用トロリによれば、外壁パネルを吊り下げた状態で保持するための外壁パネル保持部材と、建物の躯体上を走行し得る車輪を、軸方向に沿ってスライド可能に支持する車軸と、前記外壁パネル保持部材と車軸とを、両者の支点間に段差を有する状態で支持する支持基材とを備えるので、上記車輪を軸方向にスライドさせることで、上記外壁パネル保持部材と車輪との水平距離を容易に変更し得るとともに、上記段差により、上記外壁パネル保持部材を車輪に対し上下にずらした状態に保持することができる。また、前記支持基材に、該支持基材を傾倒させるための槓杆部が形成されているので、該槓杆部で支持基材を傾倒させることで、前記外壁パネル保持部材と車軸との支点間の段差を解消することができる。
【００８７】
さらに加えて、この発明の請求項２に記載の外壁パネル用トロリによれば、前記支持基材を前記車輪から所定間隔をおいた位置に保持するためのスペーサを備えるので、外壁パネルを取付位置から外方へ離した状態に保持することができる。
【００８９】
さらに加えて、この発明の請求項３に記載の外壁パネル用トロリによれば、前記支持基材を外部の構造物に係止させて所定の態勢に保持するための係止手段を備えるので、該支持基材を傾倒させない態勢に保持することで、前記外壁パネル保持部材と車軸とを、両者の支点間に段差を有する状態に保持することができる。
【００９０】
また、この発明の請求項４に記載の外壁パネル搬送用複合デバイスによれば、空洞部が形成された外壁パネルの該空洞部に出入可能な本体と、該本体が前記外壁パネルの空洞部に挿入された状態で、該外壁パネルに係止して該本体を該外壁パネルに固定し得る係止片と、吊り上げ用ロープ類を掛止するための掛止部とを備える外壁パネル用吊具に、前記請求項１乃至３のいずれかに記載の外壁パネル用トロリが固定された構成となっているので、該外壁パネル搬送用複合デバイスを使用することにより、外壁パネルの吊り上げ行程からスライド行程までを一貫して効率よく行うことができる。
【図面の簡単な説明】
【図１】実施形態に係る外壁パネル用トロリを示す斜視図。
【図２】図１の外壁パネル用トロリの使用状態を示す側面図。
【図３】外壁パネル用吊具を示す斜視図。
【図４】図３の外壁パネル用吊具の内部構造および使用状態を示す部分縦断面図。
【図５】操作片の配設部分を示す部分拡大図。
【図６】積み上げるようにして仮置された外壁パネルに吊具を取り付けた状況を示す斜視図。
【図７】外壁パネル用吊具の他の例を示す部分分解斜視図。
【図８】外壁取付用アングルおよび外壁取付状況を示す部分斜視図。
【図９】図１の外壁パネル用トロリの操作方法の一部および作用を示す模式図。
【図１０】隅部における外壁パネルの搬送方法の一例を示す模式図。
【図１１】他の実施形態に係る外壁パネル用トロリおよびその使用状態を示す側面図。
【図１２】外壁パネル用トロリが適用される施工現場の一例を示す模式図。
【符号の説明】
３１  外壁パネル保持部材
３２  車輪
７１  梁（建物の躯体）
Ｐ１  外壁パネル
Ｔ１  外壁パネル用トロリ
【図１】
0003865103.tif 000002
【図２】
0003865103.tif 000003
【図３】
0003865103.tif 000004
【図４】
0003865103.tif 000005
【図５】
0003865103.tif 000006
【図６】
0003865103.tif 000007
【図７】
0003865103.tif 000008
【図８】
0003865103.tif 000009
【図９】
0003865103.tif 000010
【図１０】
0003865103.tif 000011
【図１１】
0003865103.tif 000012
【図１２】
0003865103.tif 000013